【手続補正書】
【提出日】平成26年7月24日(2014.7.24)
【手続補正１】
【補正対象書類名】特許請求の範囲
【補正対象項目名】全文
【補正方法】変更
【補正の内容】
【特許請求の範囲】
【請求項１】
被写体を撮影して、被写体画像を含むフレーム画像を得る撮影部と、
前記被写体画像および予め用意されたテンプレート画像の少なくとも一方のサイズを変更して前記被写体画像に対する前記テンプレート画像のサイズ比を変化させるとともに、個々のサイズ比ごとに、少なくとも一方のサイズが変更された、前記被写体画像と前記テンプレート画像との間でパターンマッチングを行うマッチング部と
を備え、
前記マッチング部は、前記サイズ比を逐次変化させながらパターンマッチングを行う画像探索を繰り返し、ある回の画像探索においてパターンが一致したサイズ比を求めるとともに、得られたサイズ比のうちの最大値を第１のサイズ比として保持し、それ以降、前記第１のサイズ比以上のサイズ比の範囲では第１の頻度でパターンマッチングを行う一方、前記第１のサイズ比を下回るサイズ比の範囲では、前記第１の頻度を下回る頻度でパターンマッチングを行うように前記画像探索を実行する
撮影装置。
【請求項２】
前記マッチング部は、ある回の画像探索においてパターンが一致したサイズ比のうちの最小値を第２のサイズ比として保持し、それ以降、前記第１のサイズ比を下回りかつ前記第２のサイズ比以上の範囲では、前記第１の頻度を下回る第２の頻度でパターンマッチングを行う一方、前記第２のサイズ比を下回るサイズ比の範囲では、前記第２の頻度を下回る第３の頻度でパターンマッチングを行うように前記画像探索を実行する
請求項１に記載の撮影装置。
【請求項３】
前記マッチング部は、各画像探索において、前記サイズ比が次第に小さくなるように変化させる
請求項１または請求項２に記載の撮影装置。
【請求項４】
前記マッチング部は、前記第１のサイズ比を取得した画像探索以降の画像探索において、前記第１のサイズ比以上のサイズ比の範囲においてパターンが一致しなかった場合には、その次の回の画像探索において全てのサイズ比率に対してパターンマッチングを行う
請求項１から請求項３のいずれか一項に記載の撮影装置。
【請求項５】
前記マッチング部は、前記フレーム画像の全領域において、マッチング対象領域をずらしながら走査することにより、パターンマッチングを行う
請求項１から請求項４のいずれか一項に記載の撮影装置。
【請求項６】
前記マッチング部は、複数の領域に分けられた前記フレーム画像の領域ごとに、前記第１のサイズ比および前記第２のサイズ比を設定してパターンマッチングの頻度を設定し、画像探索を行う
請求項２に記載の撮影装置。
【請求項７】
前記マッチング部は、前記フレーム画像の各領域における前記第１のサイズ比のうちの最大値以上のサイズ比の範囲では、前記フレーム画像の全領域において、マッチング対象領域をずらしながら走査することにより、パターンマッチングを行う
請求項６に記載の撮影装置。
【請求項８】
互いに異なる時間に得られた複数の前記フレーム画像のフレーム差分に基づき動き検出を行う動き検出部をさらに備え、
前記マッチング部は、動き検出の結果に基づいて、前記フレーム画像の領域ごとの前記第１のサイズ比および前記第２のサイズ比を補正する
請求項６に記載の撮影装置。
【請求項９】
前記マッチング部は、前記被写体画像に基づいて、その被写体に係る情報を取得し、その情報に基づいて前記第１のサイズ比および前記第２のサイズ比を補正する
請求項２に記載の撮影装置。
【請求項１０】
前記第１のサイズ比は、撮影部に一番近い被写体との間の距離に対応し、
前記第２のサイズ比は、撮影部から一番遠い被写体との間の距離に対応する
請求項２に記載の撮影装置。
【請求項１１】
前記マッチング部は、前記フレーム画像のサイズを変更することにより、前記サイズ比を変更する
請求項１から請求項１０のいずれか一項に記載の撮影装置。
【請求項１２】
前記マッチング部は、前記テンプレート画像のサイズを変更することにより、前記サイズ比を変更する
請求項１から請求項１０のいずれか一項に記載の撮影装置。
【請求項１３】
前記被写体は顔である
請求項１から請求項１２のいずれか一項に記載の撮影装置。
【請求項１４】
被写体画像を含むフレーム画像および予め用意されたテンプレート画像の少なくとも一方のサイズを変更して前記被写体画像に対する前記テンプレート画像のサイズ比を変化させるとともに、個々のサイズ比ごとに、少なくとも一方のサイズが変更された、前記被写体画像と前記テンプレート画像との間でパターンマッチングを行うマッチング部を備え、
前記マッチング部は、前記サイズ比を逐次変化させながらパターンマッチングを行う画像探索を繰り返し、ある回の画像探索においてパターンが一致したサイズ比を求めるとともに、得られたサイズ比のうちの最大値を第１のサイズ比として保持し、それ以降、前記第１のサイズ比以上のサイズ比の範囲では第１の頻度でパターンマッチングを行う一方、前記第１のサイズ比を下回るサイズ比の範囲では、前記第１の頻度を下回る頻度でパターンマッチングを行うように前記画像探索を実行する
パターン検出装置。
【請求項１５】
撮影装置と、
前記撮影装置を利用した動作制御を行う制御部と
を備え、
前記撮影装置は、
被写体を撮影して、被写体画像を含むフレーム画像を得る撮影部と、
前記被写体画像および予め用意されたテンプレート画像の少なくとも一方のサイズを変更して前記被写体画像に対する前記テンプレート画像のサイズ比を変化させるとともに、個々のサイズ比ごとに、少なくとも一方のサイズが変更された、前記被写体画像と前記テンプレート画像との間でパターンマッチングを行うマッチング部と
を有し、
前記マッチング部は、前記サイズ比を逐次変化させながらパターンマッチングを行う画像探索を繰り返し、ある回の画像探索においてパターンが一致したサイズ比を求めるとともに、得られたサイズ比のうちの最大値を第１のサイズ比として保持し、それ以降、前記第１のサイズ比以上のサイズ比の範囲では第１の頻度でパターンマッチングを行う一方、前記第１のサイズ比を下回るサイズ比の範囲では、前記第１の頻度を下回る頻度でパターンマッチングを行うように前記画像探索を実行する
電子機器。
【手続補正２】
【補正対象書類名】明細書
【補正対象項目名】００８３
【補正方法】変更
【補正の内容】
【００８３】
図１５，１６に示したように、表示装置１から一番近い観察者ＵＡがレイヤ番号ＬＮ＝７に対応する位置にいる場合には、顔検出部３０は、図９と同様に探索Ｄ１０〜Ｄ１６を行う。
【手続補正３】
【補正対象書類名】明細書
【補正対象項目名】０１１１
【補正方法】変更
【補正の内容】
【０１１１】
表示装置２から見て右側では、顔検出部４０は、図２３（Ｂ）に示したように、まず、レイヤ番号ＬＮ＝９〜０に対応する全区間において、探索ＤＲ０を行う。次に、顔検出部４０は、レイヤ番号ＬＮ＝９〜５に対応する区間のみ、探索ＤＲ１〜ＤＲ４を行う。そして、顔検出部４０は、レイヤ番号ＬＮ＝９〜２に対応する区間のみ、探索ＤＲ５を行う。次に、顔検出部４０は、レイヤ番号ＬＮ＝９〜５に対応する区間のみ、探索ＤＲ６〜ＤＲ９を行う。顔検出部４０は、これらの計１０回の探索ＤＲ０〜ＤＲ９を繰り返す。これにより、レイヤ番号ＬＮ＝４〜２に対応する区間における顔検出（中頻度検出Ｍ２）は、レイヤ番号ＬＮ＝９〜５に対応する区間における顔検出（高頻度検出Ｍ１）の１／５の頻度で行われ、また、レイヤ番号ＬＮ＝１，０に対応する区間における顔検出（低頻度検出Ｍ３）は、レイヤ番号ＬＮ＝９〜５に対応する区間における顔検出（高頻度検出Ｍ１）の１／１０の頻度で行われることとなる。